(57)【要約】【課題】  原稿画像の読み取り前に原稿サイズを正確に把握でき、そのことによって簡単な手段によりイメージ欠けやゴミイメージを生じない合成画像の生成を可能にした画像読取装置を提供する。【解決手段】  原稿載置部にセットされた複数枚の原稿を順次自動的に画像入力装置３０の読み取り位置へ搬送し、読み取った原稿画像を搬送方向に連結して並べた状態で画像メモリ１８に記憶する画像読取装置１にあって、画像入力装置３０の前記原稿載置部から前記読み取り位置へ至る搬送経路内で搬送中の原稿の先端及び後端の通過をセンサで検知する。ＣＰＵ１１は、センサによる検知タイミング、および前記原稿の搬送速度に基づいて原稿の搬送方向の長さを算出し、この算出した搬送方向の長さ分を書き込み長さにして読み取った原稿画像を画像メモリ１８に記憶させる。【選択図】        図２
2005057584.tif 000002
【特許請求の範囲】
【請求項１】
複数の原稿を読取位置に供給する原稿供給手段と、
前記原稿の読み取り方向の長さを検出する長さ検出手段と、
前記読取位置に供給された前記原稿から原稿画像を読み取る読取手段と、
前記原稿の読み取り方向の長さに基づいて前記原稿画像が前記読み取り方向に連続するように配置された送信画像を形成する送信画像形成手段とを有することを特徴とする画像読取装置。
【請求項２】
前記原稿供給手段は、前記原稿を反転して前記原稿画像の両面読み取りを行えるように構成され、
前記送信画像形成手段は、前記原稿画像を両面に有する両面原稿について検出された前記読み取り方向の長さに基づいて裏面の原稿画像を表面の原稿画像に連続するように配置することを特徴とする請求項１記載の画像読取装置。
【請求項３】
前記送信画像形成手段は、前記原稿を前記読取手段で読み取った前記原稿画像に前記原稿の基準とのずれに基づく領域が含まれているとき、メモリ上で前記原稿画像に連続するように次に読み取った原稿画像を前記領域に配置して上書きすることを特徴とする請求項１記載の画像読取装置。
【請求項４】
前記長さ検出手段は、前記原稿の読み取り方向の異なる位置に設けられて前記原稿の有無を検出する複数のセンサを備え、
前記送信画像形成手段は、前記複数のセンサの検出信号に基づいて前記基準を設定することを特徴とする請求項３記載の画像読取装置。
【発明の詳細な説明】
【技術分野】
【０００１】
本発明は、画像読取装置に関し、特に、原稿等の複数枚を連続的に読み取って連続したひとつの画像として保存する機能を備えたファクシミリ等の画像読取装置に関する。
【背景技術】
【０００２】
従来の画像読取装置として、原稿等の複数枚を送信する場合、複数枚の原稿を順次読取部へ自動的に搬送し、光学的に読み取ると同時に、その画像データを記憶媒体に一旦記憶し、複数の原稿を合成（連結）した状態で読み出して送信するものがある。このような画像読取装置によると、前の原稿の読み取りの後、次の原稿の読み取りが開始されるまでの待ち時間を無くすことができるため、通信接続時間の短縮が可能になると共に通信料金の低減が可能になる。
【０００３】
このような画像読取装置は、複数の原稿を順次搬送しながら読み取ることのできる原稿搬送機構および原稿読取機構を有する画像入力装置を備えている。
【０００４】
図５は、画像入力装置により複数枚の原稿を読み取り、合成を行う場合の画像合成処理の原理を示す図である。３枚の原稿Ｄ１，Ｄ２，Ｄ３は、原稿搬送機構によって原稿読み取り機構へ自動的に搬入される。その搬送過程で、搬送路の所定位置に配置された検知センサにより原稿Ｄ１，Ｄ２，Ｄ３のサイズが検知される。原稿と入光部（又は撮像部）が相対移動することによって画像データが取得され、画像読取装置に設けられた記憶媒体（半導体メモリ等）に記憶される。記憶媒体としては、ファクシミリ等で多用される原稿の用紙サイズ（Ａ４、Ｂ４等）の平均的な通紙枚数分（読み取り枚数分）以上を記憶可能な記憶容量を備えている必要がある。
【０００５】
画像データの合成は、記憶媒体の１ページ分の記憶領域に、「１枚の原稿の読み取り開始から終了までの送り方向長さ分（副走査分）×主走査分」の画像が記憶される。例えば、記憶媒体の１ページ分の記憶領域がＡ４定型サイズ分であるとすると、読み取られた原稿のサイズがＡ４定型サイズに同一であることが検知されれば、１ページ分の記憶領域は読み取った画像データで使い切られることになる。しかし、読み取られた原稿のサイズがＡ４定型サイズよりも小さいと検知された場合、１ページ分の記憶領域は末使用の部分が生じる。また、読み取られた原稿のサイズがＡ４定型サイズよりも大きいと検知された場合には、１ページ分の記憶領域には読み取り画像の一部が欠如した状態で記憶されることになる。
【０００６】
図５（ａ）は、原稿Ｄ１，Ｄ２，Ｄ３のいずれもが定型サイズ（規格サイズ）に等しいと検知された場合であり、合成された合成画像データ１０１は、原稿Ｄ１とＤ２の画像データ間及び原稿Ｄ２とＤ３の画像データ間が隙間無くつながり、合成画像に欠けや余白は生じない。
【０００７】
しかし、図５（ｂ）に示すように、原稿Ｄ１，Ｄ２，Ｄ３のそれぞれが定型サイズ（規格サイズ）よりもｄだけ小さく検知された場合（黒帯部分が縮小分）、ｄの部分のために、原稿Ｄ１，Ｄ２，Ｄ３の各画像の後端から各ページ分の記憶領域の後端までの末使用領域はゴミデータ１０３となり、このゴミデータ１０３が黒い帯の画像として記録され、本来、送信する必要のないゴミデータ１０３の分だけ通信時間が多くかかると共に、通信料金が増えることになる。また、見苦しい合成画像１０２になる。
【０００８】
また、画像入力装置には、原稿の両面読み取りの可能なものがある。この場合、原稿の表面を読み取った後、原稿読取面を一旦通過させ、次に、逆送させると共に裏面が原稿読取面に向くように反転させて原稿読取機構に搬入する。従って、図５（ｃ）に示すように、原稿Ｄ１の表面「１」と裏面「２」は画像の向きが１８０°回転した状態で読み取られる。このとき、原稿Ｄ１が定型サイズよりもｄだけ小さく検知された場合、合成するときに裏面の画像「２」の向きを表面の画像「１」の向きに合わせるため、１８０°回転させる処理が行われる。すると、表面の画像「１」と裏面の画像「２」の間に形成されるゴミデータ１０３部分はｄ×２になり、図５（ｂ）の場合よりもゴミデータ１０３の部分の幅が２倍になって目立つため、更に見苦しい合成画像１０４になる。
【０００９】
以上は、原稿Ｄ１，Ｄ２，Ｄ３が定型サイズ（規格サイズ）よりも小さく検知された場合であるが、定型サイズよりも大きく検知される場合もあり、この場合には実際の原稿画像に対して画像の一部が欠如した画像が合成されることになる。
【００１０】
図５（ｂ）や（ｃ）のような合成画像を生じさせないためには、画像入力装置で読み取った画像データに対し、副走査方向（原稿搬送方向）の長さが正確に求められればよい。このためには、原稿載置台に設置するサイズ検知センサの数を多くし、原稿の先端からの距離が異なる数カ所でサイズ検知を行い、検知サイズの平均値を算出すればよい。
【００１１】
また、原稿のサイズを正確に検知する手段を備えた画像読取装置として、シート原稿の副走査方向のサイズ検知をＣＣＤ（電荷結合素子）で検知すると共に、読み取り位置に配置した背景黒色板に対するＣＣＤの位置が最適でないとき、背景黒色板に対するＣＣＤの位置又は走査光学系を移動できるようにしたものがある（例えば、特許文献１参照）。
【００１２】
【特許文献１】特開平８−１６３３２７号公報（図１、図５）
【発明の開示】
【発明が解決しようとする課題】
【００１３】
しかし、図５に係る従来の画像読取装置によると、サイズ検知センサの数を多くした場合、各センサの設置スペースを確保するために設計が難しくなるほか、画像読取装置のコストアップを招く。更に、センサの調整及び保守点検の箇所が多くなり、生産性及びメンテナンス性を低下させることになる。
【００１４】
また、特許文献１の画像読取装置によれば、原稿が読み取り部に到達した時点でＣＣＤによる原稿画像の読み取りが行われるため、原稿が読み取り部に至る前の搬送途中でサイズを検知することはできないので、検知情報を原稿画像の合成に反映させることは難しい。
【００１５】
従って、本発明の目的は、原稿画像の読み取り前に読み取り方向の長さを正確に把握でき、そのことによって簡単な手段によりイメージ欠けやゴミイメージを生じない合成画像の生成を可能にした画像読取装置を提供することにある。
【課題を解決するための手段】
【００１６】
本発明は、上記の目的を達成するため、複数の原稿を読取位置に供給する原稿供給手段と、前記原稿の読み取り方向の長さを検出する長さ検出手段と、前記読取位置に供給された前記原稿から原稿画像を読み取る読取手段と、前記原稿の読み取り方向の長さに基づいて前記原稿画像が前記読み取り方向に連続するように配置された送信画像を形成する送信画像形成手段とを有することを特徴とする画像読取装置を提供する。
【００１７】
この構成によれば、原稿の読み取り方向の長さを検出できるため、原稿画像の画像領域および書き込み位置を正確に設定することができる。従って、ゴミデータが合成画像上に生成されることがない。更に、イメージ欠けも生じない。
【発明の効果】
【００１８】
本発明の画像読取装置によれば、原稿の読み取り方向の長さに基づいて複数の原稿画像を連続配置して送信画像を形成するため、原稿画像の読み取り前に読み取り方向に対する実際の長さを正確に把握でき、そのことによって簡単な手段によりイメージ欠けやゴミイメージを生じない合成画像の生成を可能にする。
【発明を実施するための最良の形態】
【００１９】
以下に、本発明の実施の形態を図面を参照しながら説明する。
【００２０】
図１は、本発明の実施の形態に係る画像読取装置の全体構成図である。この画像読取装置１は、本体部１０と、画像入力装置３０を備えて構成される。ここでは、画像読取装置１は、ファクシミリ（ＦＡＸ）装置、ファクシミリ機能を備えた複写機、又はファクシミリ機能とコピー機能を備えた複合機を想定している。
【００２１】
本体部１０は、全体の制御を行うＣＰＵ１１と、ＲＯＭ（リード・オンリー・メモリ）１２と、ＲＡＭ（ランダム・アクセス・メモリ）１３と、画像処理時の作業領域として用いられる画像メモリ１４と、合成された画像データを蓄積するハードディスク１５と、画像入力装置３０で読み取った画像を格納する際の制御を行う画像メモリコントローラ１６と、画像入力装置３０に対する入出力部となるインターフェース部１７と、画像入力装置３０で読み取った画像データを格納する画像メモリ１８と、公衆電話回線６０との通信を行うＦＡＸモジュール１９と、データ及びアドレスを共有する部材間を接続するバス（bus）２０と、設定入力等を行うためのタッチパネル２１とを有する。
【００２２】
更に、本体部１０は、コピー機能又はＦＡＸ受信時の印刷出力を行うための画像出力部４０と、Ｂ４、Ａ４等のサイズの用紙を指定に応じて給紙する給紙部５０とを有する。画像出力部４０は、電子写真方式により普通紙や専用紙等の記録媒体に画像を記録する。
【００２３】
画像入力装置３０は、原稿搬送機構（ＣＶＴ）３１と、光学読取部（ＩＩＴ：イメージ・インプット・ターミナル）３２とを有し、所定の位置にセットされた原稿の光学的な読み取り、読み取った原稿についてのデジタル画像データを生成するものである。また、画像入力装置３０は、原稿のサイズを検知するセンサを備えており、光学読取部３２へ搬送中の原稿のサイズを検知する。
【００２４】
ＲＯＭ１２、ＲＡＭ１３、及び画像メモリ１４は、半導体メモリであり、ＲＯＭ１２には、本体部１０を動作させるためのプログラムが格納されている。ＲＡＭ１３には、タッチパネル２１から入力されたデータ、画像処理以外のデータ等が一時的に記憶される。ハードディスク１５は、原稿画像の合成が終了し、送信を行える状態になった画像データを蓄積し、一定の期間が経過後、又はユーザが消去する等の条件が発生するまで保存される。
【００２５】
インターフェース部１７は、画像入力装置３０との通信を行い、原稿読み取り時にＣＰＵ１１の制御に基づいて画像入力装置３０内の搬送機構や回路を動作させ、読み取られた画像データを取り込み、画像メモリコントローラ１６を介して画像メモリ１８に記憶させる。記憶メモリ１８は半導体メモリが用いられ、画像入力装置３０によって読み取られた１又は複数枚の原稿の画像データを保存する。
【００２６】
ＦＡＸモジュール１９は、ＣＰＵ１１の制御の基に動作し、ハードディスク１５から読み出された送信対象のデジタルによる送信画像データを変調し、ファクシミリのプロトコルに従って送信すると共に、受信時には相手機からのファクシミリデータを復調する。
【００２７】
タッチパネル２１は、ＬＣＤ（液晶表示器）上に設けられた指定範囲をユーザが指で押圧することにより動作するもので、各種の入力操作及び設定（電話帳の作成、ＦＡＸ先の指定、カラー／白黒の指定、モード設定、コピー機能時の印刷枚数及び部数の設定等）を行うことができる。
【００２８】
図２は、画像読取装置に搭載される画像入力装置の概略構成図である。画像入力装置３０は、原稿搬送機構３１と光学読取部３２を備えて構成されている。
【００２９】
原稿搬送機構３１は、トレイサイズセンサ（ＴＳＳ）７１，７２と、ガイド７３と、紙センサ７４と、セットゲート７５と、給紙ロール７６と、第１の搬送路７７と、第２の搬送路７８と、第３の搬送路７９と、一対の送りロール８０と、一対のタイミングロール８１と、一対のレジストロール８２と、アウトロール８３と、排出ロール８４と、原稿排出部８５と、プラテンガラス８６と、セットセンサ８７と、フィードアウトセンサ８８と、プリレジストセンサ８９と、用紙サイズセンサ９０と、レジストセンサ９１と、インバートセンサ９２と、インバートゲート９３とを備えて構成されている。
【００３０】
また、光学読取部３２は、ミラー９５と、このミラー９５の反射光路上に配置された光学系９６と、この光学系９６の後段の結像位置に配置された読取素子としてのＣＣＤ９７と、スキャン位置ＳＰを照明するためのランプ９８とを備えて構成されている。
【００３１】
トレイサイズセンサ（ＴＳＳ）７１，７２は、原稿載置台２５上に原稿搬入方向に向かって所定間隔に設置され、原稿載置台２５上の原稿サイズ（Ａ４、Ｂ４等）を光学的に検知する。ガイド７３は、原稿の幅方向の位置を規制する。紙センサ７４は、ガイド７３の近傍に配置されて用紙の幅を検知する。セットゲート７５は原稿載置台２５の下端に設置され、原稿載置台２５にセットされた原稿の送り込みを規制する。給紙ロール７６は、セットゲート７５の上方に昇降可能に配置され、原稿載置台２５にセットされた原稿の最上面の１枚を接触摩擦に基づいて第１の搬送路７７へ排出する。
【００３２】
第１の搬送路７７は、セットゲート７５からスキャン位置（読取位置）ＳＰにかけて半円状に形成され、原稿載置台２５からの原稿をスキャン位置ＳＰへガイドする。第２の搬送路７８は、第１の搬送路７７に連続して円弧状に設けられ、読み取りが終了した原稿を原稿排出部８５へ排出、あるいは裏面読み取りのために逆送させて再度第１の搬送路７７へ導入するためのガイドとなる。
【００３３】
ロール８０，８１，８２は、第１の搬送路７７に沿って順次所定位置に配設されている。送りロール８０は給紙された原稿を第１の搬送路７７へ搬入させ、タイミングロール８１は送りロール８０からの原稿を所定の給紙タイミングで供給する。レジストロール８２は読み取りタイミングに合わせて原稿の給紙を実行する。アウトロール８３は第２の搬送路７８の入り口近傍に配置され、スキャンの終了した原稿を排出ロール８４に向けて送出する。
【００３４】
セットセンサ８７は原稿がセットゲート７５を通過したことを検知し、フィードアウトセンサ８８は原稿の通過を検知する。プリレジストセンサ８９はフィードアウトセンサ８８を通過した原稿を必要に応じて一時的に停止させるための検知を行う。用紙サイズセンサ９０は、搬送されてきた原稿の幅（主走査方向）を検知する。レジストセンサ９１は、読み取り開始の準備が整うまで搬送されてきた原稿を一時的に停止させる。
【００３５】
インバートセンサ９２は、原稿の裏面に画像が形成されているか否かを検知し、裏面に画像が有れば検知信号を発生し、排出ロール８４が原稿の後端を把持した時点で排出ロール８４の回転を停止させる。インバートゲート９３は、裏面の画像有りが検知されたとき、第３の搬送路７９からタイミングロール８１への経路を開通させ、同時にアウトロール８３への経路を閉鎖するように回転する。原稿の片面のみを読み取るように設定されている場合、インバートゲート９３は図２に示す状態にあり、第２の搬送路７８と第３の搬送路７９が開通している。
【００３６】
光学読取部３２において、ミラー９５はスキャン位置ＳＰの真下に配置されており、原稿面よりの反射光を直角方向（水平方向）へ反射させる。光学系９６は光学レンズを用いて構成され、反射光の光像をＣＣＤ９７の受像面に結像させる。スキャン位置ＳＰを原稿が一定速度で移動し、１枚の原稿がスキャン位置ＳＰを通過し終わると、原稿１枚分の画像データがＣＣＤ９７から出力される。
【００３７】
図２に示したミラー９５、光学系９６、及びＣＣＤ９７の配置は一例であり、ＣＣＤ９７に至る光路について他の構成を有していても良い。更に、ＣＣＤ９７に代えて他の撮像素子、例えばＭＯＳを用いることもできる。また、ランプ９８は蛍光ランプのほか、多数のＬＥＤを棒状に配置した光源等であっても良い。
【００３８】
図３は、画像読取装置による画像合成処理を示す図である。まず、図３（ａ）に示すように、１枚目の原稿Ｄ１の読み取り方向長さＬ１が基準となる定型長さＬ２より小さく検知された場合、原稿Ｄ１の原稿画像１０５は、読み取り方向の後端に余白ｄを含んだ状態で画像メモリの記憶領域１０６に記憶される。
【００３９】
次に、画像入力装置３０によって２枚目の原稿Ｄ２について原稿画像の読み取りが行われる。この読み取りに基づいて原稿Ｄ２の読み取り方向長さＬ３が検出される。ここで、原稿Ｄ１については、先の読み取り動作において読み取り方向長さＬ１が検出されており、そのことによって、図３（ａ）に示すように記憶領域１０６における原稿画像１０５の画像範囲（Ｘ０〜Ｘ１）が定まることから、２枚目の原稿Ｄ２については記憶領域１０６のＸ１を書き込み開始位置として原稿画像１０７を配置することで、余白ｄを上書きして画像１０５に連続した原稿画像１０８が形成される。
【００４０】
次に、図３（ｃ）に示す原稿画像１１１および１１２からなる両面原稿Ｄ１１を画像入力装置３０で読み取る場合について説明する。この場合、両面原稿Ｄ１１の原稿画像「１」についての読み取りは、図３（ａ）で説明したように実行されるが、原稿画像「２」の読み取りについては原稿画像「２」の向きが逆になるので、記憶領域１０６にそのまま書き込むと図３（ｄ）に示すように原稿画像「１」および「２」の向きが逆になるだけでなく余白ｄの部分が２倍になる。そこで、図３（ｅ）に示すように原稿画像１１２を１８０度回転させて余白ｄの部分が上書きされるように配置すると、原稿画像１１１に原稿画像１１２が連続した原稿画像１１０が形成される。
【００４１】
図４は、画像読取装置の処理を示すフローチャートである。図中、「Ｓ」はステップを表している。以下に、図１〜図４を参照して、画像読取装置１の処理を説明する。なお、以下においては、原稿２枚を合成する図３（ｂ）の場合について説明する。
【００４２】
まず、ユーザは、図示しない画像読取装置の電源スイッチをオンにする。また、ユーザは、複数枚の原稿を重ねて原稿載置台２５に載置する。複数枚の原稿は、図２に示すトレイサイズセンサ７１，７２によって基準となる原稿サイズが光学的に検知される。次に、画像読取装置の図示しないタッチパネル１３に表示された画面の中からファクシミリの送り先を指定した後、「読取開始」の項目を選択して押下する。
【００４３】
原稿載置台２５に載置された原稿（図示せず）の最上面の１枚（Ｄ１）が給紙ロール７６の回転および降下の動作によって払い出され、第１の搬送路７７に送り出される。原稿Ｄ１はレジストロール８２の位置まで供給された時点で一時停止する。画像メモリ１８の初期化が終了し、更に、ランプ９８の光量が安定した時点でレジストロール８２が回転し、原稿Ｄ１はスキャン位置ＳＰへ送り出される。
【００４４】
原稿Ｄ１は、各ロールの回転駆動に基づいて第１の搬送路７７内を搬送される過程で、主走査長Ｗ（ｆｓ  ｌｅｎｇｔｈ）が用紙サイズセンサ９０によって検知される（Ｓ２０１）。次に、原稿Ｄ１が１ページの読み込みか否かがセットセンサ８７により検知される（Ｓ２０２）。１ページ目であれば、実装されている画像メモリ１８の全て（図３の記憶領域１０６に相当）を確保する（Ｓ２０３）。これは、実際の原稿サイズの情報が想定されるサイズ（定型サイズ等）より大きい場合にも、イメージ欠けを発生しないようにするためである。更に、画像メモリ１８の書き込み開始位置を初期化（メモリアドレスを０，０に）する（Ｓ２０３）。
【００４５】
次に、レジストロール８２を回転させて原稿Ｄ１のスキャンを開始する（Ｓ２０５）。これにより、図３（ａ）で説明したように、原稿Ｄ１の読み取りによる画像データが画像メモリ１８に書き込まれる。原稿搬送機構３１では、原稿送りの過程で原稿Ｄ１の副走査方向の長さが計測される（Ｓ２０６）。
【００４６】
副走査方向の長さは、フィードアウトセンサ８８の検知信号と、レジストロール８２の駆動源であるモータ（例えば、ステッピングモータ）のロータリーエンコーダの出力パルスが用いられる。すなわち、原稿Ｄ１が第１の搬送路７７に搬入し、原稿Ｄ１の先端がフィードアウトセンサ８８で検知されて信号オンになってから原稿Ｄ１の後端がフィードアウトセンサ８８を通過したことによりフィードアウトセンサ８８が信号オフを出力したときまでのモータの出力パルスをカウントできる。出力パルスはモータの回転に応じて一定間隔で発生し、モータ回転が一定であればパルス間隔ｔの長さｌを特定すれば、実原稿長Ｌは、出力パルスカウント値Ｎより、Ｌ＝ｌ×Ｎとして求められる。
【００４７】
原稿Ｄ１の後端がスキャン位置ＳＰを通過し終わると、原稿Ｄ１のスキャンが終了する（Ｓ２０７）。そして、上記したように、原稿Ｄ１の読み込み方向長さである実原稿長Ｌ（副走査長ＳＳ  ｌｅｎｇｔｈ）が取得される（Ｓ２０８）。次に、２ページ目があるか否かが判定される（Ｓ２０９）。ここでは、セットセンサ８７によって原稿Ｄ２が残っていることが検知され、この検知に基づいて処理はＳ２０２にリターンする。
【００４８】
Ｓ２０２においては、原稿Ｄ２が１ページ目でないことが判定され、処理はＳ２１０へ移行する。Ｓ２１０では、原稿Ｄ１のスキャンのときに求めた実原稿長Ｌ（副走査長ＳＳ  ｌｅｎｇｔｈ）から、原稿Ｄ２の画像１０７のメモリ書き込み位置を設定する。メモリ書き込み位置は、（ＳＳ  ｌｅｎｇｔｈ）×（ｎ−１）として算出される（ｎは、原稿カウント数）。すなわち、余白ｄを有しない原稿Ｄ１の実原稿長Ｌの後端が、原稿Ｄ２の  書き込み開始位置になる。
【００４９】
次に、原稿Ｄ２が第１の搬送路７７に搬入され、原稿Ｄ１の場合と同様にしてスキャン位置ＳＰにおいて光学読取部３２による読み取りが行われ、読み取り順に画像メモリ１８への書き込みが行われる（Ｓ２０５）。読み取られた原稿Ｄ２の画像１０７は、図３（ｂ）のように画像Ｄ１の後に合成されるが、その書き込み開始位置は、原稿Ｄ１の画像１０５の後端に接するように行われるので、定型サイズと見なされた場合に生じていた余白ｄは上書きされて生じない。
【００５０】
原稿Ｄ２のスキャンと同時に、原稿Ｄ２の実原稿長Ｌが原稿Ｄ１のときと同様に行われるが（Ｓ２０６）、ここでは、原稿が２枚であるとしているので、求めた実原稿長Ｌのデータは用いることはない。Ｓ２０９で次原稿無しが判定され、処理は終了する。
【００５１】
以上は図３（ｂ）の場合であったが、図３（ｃ）の場合も同様にして合成処理される。この場合、原稿Ｄ２に代えて原稿Ｄ１１の裏面を処理すればよい。ただし、読み込んだままの状態では、裏面の画像が表面に対して向きが１８０°異なってしまうため、方向を合わせるための回転処理を同時に実施する。
【００５２】
上記実施の形態において、画像メモリ１８は半導体メモリとしたが、書き込み及び消去が可能な他の媒体、例えば、ハードディスクや、ＭＯ（Magnet Optical）、ＣＤ−ＲＷ、ＤＶＤ−ＲＡＭ等の光磁気記憶媒体であってもよい。また、直接に画像メモリ１８又は画像メモリ１８に相当する記憶媒体に書き込みを行うのではなく、一旦、高速動作が可能なバッファメモリを介して書き込みを行う様にしてもよい。
【００５３】
また、画像出力部４０によりプリントアウトする場合、およびファクミリ送信を行う場合、合成した画像の全てをプリントアウト又は送信することが可能であるほか、指定により任意の画像のみをプリントアウト又は送信することが可能である。
【００５４】
更に、実原稿長Ｌは、レジストロール８２のエンコーダ出力を用いるものとしたが、スキャン位置ＳＰより前方に配置された他のロールのエンコーダ出力を用いてもよい。
【図面の簡単な説明】
【００５５】
【図１】本発明の実施の形態に係る画像読取装置の全体構成図である。
【図２】画像読取装置に搭載される画像入力装置の概略構成図である。
【図３】画像読取装置による画像合成処理を示す図である。
【図４】画像読取装置の処理を示すフローチャートである。
【図５】画像入力装置により複数枚の原稿を読み取り、合成を行う場合の画像合成処理の原理を示す図である。
【符号の説明】
【００５６】
１  画像読取装置
１０  本体部
１１  ＣＰＵ
１２  ＲＯＭ（リード・オンリー・メモリ）
１３  ＲＡＭ（ランダム・アクセス・メモリ）
１４  画像メモリ
１５  ハードディスク
１６  画像メモリコントローラ
１７  インターフェース部
１８  画像メモリ
１９  ＦＡＸモジュール
２０  バス
２１  タッチパネル
２２  操作部
２３  電源スイッチ
２４  排紙トレイ
２５  原稿載置台
２６  原稿排出台
３０  画像入力装置
３１  原稿搬送機構（ＣＶＴ）
３２  光学読取部（ＩＩＴ）
４０  画像出力部
５０  給紙部
６０  公衆電話回線
７１，７２  トレイサイズセンサ（ＴＳＳ）
７３  ガイド
７４  紙センサ
７５  セットゲート
７６  給紙ロール
７７  第１の搬送路
７８  第２の搬送路
７９  第３の搬送路
８０  送りロール
８１  タイミングロール
８２  レジストロール
８３  アウトロール
８４  排出ロール
８５  原稿排出部
８６  プラテンガラス
８７  セットセンサ
８８  フィードアウトセンサ
８９  プリレジストセンサ
９０  用紙サイズセンサ
９１  レジストセンサ
９２  インバートセンサ
９３  インバートゲート
９５  ミラー
９６  光学系
９７  ＣＣＤ
９８  ランプ
１０１  合成画像データ
１０２  合成画像
１０３  ゴミデータ
１０５  原稿Ｄ１の原稿画像
１０６  記憶領域
１０７  原稿Ｄ２の原稿画像
１０８，１１０  原稿画像
１１１  表面の原稿画像
１１２  裏面の原稿画像
Ｄ１，Ｄ２，Ｄ３，Ｄ１１  原稿
ｄ  余白
【図１】
2005057584.tif 000003
【図２】
2005057584.tif 000004
【図３】
2005057584.tif 000005
【図４】
2005057584.tif 000006
【図５】
2005057584.tif 000007